(57)【特許請求の範囲】
【請求項１】
最も光入射側に配置され、光入射側の面が凸形状の保護レンズと、開口絞りと、光学系Ａと、該光学系Ａと異なる光学特性を有する光学系Ｂを有する撮像光学系と、前記撮像光学系を収容し、外部の媒質と内部の媒質を隔離する筐体と、
前記光学系Ａまたは前記光学系Ｂのいずれか一方を、前記撮像光学系の光路中の前記開口絞りの像側に配置する切り替え手段を有し、
前記光学系Ａの焦点距離をｆＡ、前記光学系Ｂの焦点距離をｆＢ、前記保護レンズの光入射側のレンズ面の曲率半径をＧ１Ｒ１とするとき、
０．０４＜（ｆＡ−ｆＢ）×Ｇ１Ｒ１／（ｆＡ×ｆＢ）≦０．８３８  
なる条件式を満足することを特徴とする撮像装置。
【請求項２】
前記保護レンズは前記筐体に固定されていることを特徴とする請求項１に記載の撮像装置。
【請求項３】
前記光学系Ａと前記光学系Ｂはいずれも２枚以下のレンズより構成されることを特徴とする請求項１又は２に記載の撮像装置。
【請求項４】
前記保護レンズの光入射側のレンズ面の曲率半径をＧ１Ｒ１、前記撮像光学系のレンズ全長をＬとするとき、
０．５０＜Ｇ１Ｒ１／Ｌ＜３．００
なる条件式を満足することを特徴とする請求項１乃至３のいずれか１項に記載の撮像装置。
【請求項５】
前記撮像光学系の光路中に前記光学系Ａが配置されているときにおける前記光学系Ａの最も光入射側のレンズ面頂点から像面までの距離をＫＡ、前記撮像光学系の光路中に前記光学系Ｂが配置されているときにおける前記光学系Ｂの最も光入射側のレンズ面頂点から像面までの距離をＫＢ、前記撮像光学系のレンズ全長をＬとするとき、
０．０２＜ＫＡ／Ｌ＜０．６０
０．０２＜ＫＢ／Ｌ＜０．６０
なる条件式を満足することを特徴とする請求項１乃至４のいずれか１項に記載の撮像装置。
【請求項６】
前記光学系Ｂは１枚以上の正レンズを有し、前記光学系Ｂの中で屈折力の最も高い正レンズＢｐの材料のアッベ数をνｄＢとするとき、
１０．０＜νｄＢ＜６２．０
なる条件式を満足することを特徴とする請求項１乃至５のいずれか１項に記載の撮像装置。
【請求項７】
前記光学系Ａは１枚以上の正レンズを有し、前記光学系Ｂは１枚以上の正レンズを有し、
前記光学系Ａに含まれる正レンズのうち屈折力の最も大きい正レンズＡｐの材料のアッベ数をνｄＡ、前記光学系Ｂに含まれる正レンズのうち屈折力の最も大きい正レンズＢｐの材料のアッベ数をνｄＢとするとき、
１．００＜νｄＡ／νｄＢ＜５．００
なる条件式を満足することを特徴とする請求項１乃至６のいずれか１項に記載の撮像装置。
【請求項８】
前記光学系Ａは１枚以上の正レンズを有し、前記光学系Ｂは１枚以上の正レンズを有し、前記光学系Ａに含まれる正レンズのうち屈折力の最も大きい正レンズＡｐの材料のｄ線に対する屈折率をｎｄＧＡ、前記光学系Ｂに含まれる正レンズのうち屈折力の最も大きい正レンズＢｐの材料のｄ線に対する屈折率をｎｄＧＢとするとき、
１．００≦ｎｄＧＢ／ｎｄＧＡ＜１．６０
なる条件式を満足することを特徴とする請求項１乃至７のいずれか１項に記載の撮像装置。
【請求項９】
水陸両用であることを特徴とする請求項１乃至８のいずれか１項に記載の撮像装置
【発明の詳細な説明】
【技術分野】
【０００１】
本発明は、防水機能が施され、空気中及び水中の何れにおいても良好に撮像することができる撮像装置に関するものである。
【背景技術】
【０００２】
近年、ダイビングの人気上昇、水中カメラマンの増加などにより水中撮影の機会が増加し、水中カメラにおいては陸上（空気中）での撮影と同等の携帯性、操作性、撮像領域、光学性能等を有することが要求されている。
【０００３】
一般に、水中カメラ、あるいは水陸両用カメラは、カメラを水中ハウジング内に収容したもの、あるいはカメラ自体に防水機構を施したものが使用されている。しかしながら、水や塩水は屈折率と分散が空気とは異なり、例えばｄ線に対する屈折率は空気に対し約４／３であり、分散はアッベ数で６２程度である。このため、空気中において十分収差補正され
た撮像光学系を水中にて使用すると、水と撮像光学系が接する境界面での屈折作用に変化が生じる。
【０００４】
その結果、撮影画角の変化、また、収差の変化による光学結像性能が著しく低下してくる。特に水と撮像光学系が接する境界面が平面である場合、空気中の撮影画角に対し水中での撮影画角は顕著に狭くなり、広画角での撮影が困難になる。
【０００５】
水中撮影時において広画角化を図る手段として、境界面を物体側に凸形状とし、その曲率を強めることで光線をコンセントリックに入射させ、境界面での屈折作用を緩和する方法が知られている。しかしながら、境界面の凸形状の曲率を強め過ぎると境界面における空気中と水中での屈折力の差分が大きくなり過ぎ、諸収差、特に像面湾曲が増大してくる。このため、広画角化を図りつつ、像面湾曲を軽減するのが難しくなってくる。また、水は屈折率と同時に分散も有し、境界面において倍率色収差が多く発生する。
【０００６】
水中撮影時において広画角を図りつつ、像面湾曲の増大を軽減する手段として、撮像光学系の物体側にドーム状の耐圧窓と光路中より挿脱可能な正の屈折力を有するレンズ群を備える方法を利用した撮像装置が知られている（特許文献１）。また、水中撮影時に発生する倍率色収差を抑制する手段として、撮像光学系の物体側に回折光学面を施したフィルターアタッチメントを取り付ける方法を利用した撮像装置が知られている（例えば特許文献２）。
【先行技術文献】
【特許文献】
【０００７】
【特許文献１】特開２００４−３２５７１１号公報
【特許文献２】特開２００４−２５２２１９号公報
【発明の概要】
【発明が解決しようとする課題】
【０００８】
特許文献１では、撮像光学系の物体側にドーム状の耐圧窓と着脱可能な正の屈折力を有するレンズ群を備え、水中時にアフォーカル系を構成することで、広い撮影画角の確保と像面湾曲の発生を軽減している。特許文献１の撮像装置はドーム状の耐圧窓が撮像光学系に対して大型化する傾向があった。また特許文献２では、撮像光学系の物体側に回折光学面を施したフィルターアタッチメントを取り付けることで、水中時に発生する倍率色収差を抑制している。しかしながら、回折光学面は製造難易度が極めて高く、水中及び陸上の双方において高い光学性能を得るのが困難であった。
【０００９】
水中カメラにおいては水中撮影時の携帯性や着脱性が良いこと、また、水中撮影時においては像面湾曲と倍率色収差が少ないことが要望されている。また水中撮影及び空気中での撮影の双方において良好な光学性能が得られ、しかも双方の切り替えが容易にできること等が要望されている。
【００１０】
本発明は、空気中及び水中の何れにおいても諸収差が良好に補正され、高い光学性能を有し、水中時においても広い撮像画角を確保し、かつ全系がコンパクトな水陸両用に好適な撮像装置の提供を目的とする。
【課題を解決するための手段】
【００１１】
本発明の撮像装置は、  最も光入射側に配置され、光入射側の面が凸形状の保護レンズと、開口絞りと、光学系Ａと、該光学系Ａと異なる光学特性を有する光学系Ｂを有する撮像光学系と、前記撮像光学系を収容し、外部の媒質と内部の媒質を隔離する筐体と、
前記光学系Ａまたは前記光学系Ｂのいずれか一方を、前記撮像光学系の光路中の前記開口絞りの像側に配置する切り替え手段を有し、
前記光学系Ａの焦点距離をｆＡ、前記光学系Ｂの焦点距離をｆＢ、前記保護レンズの光入射側のレンズ面の曲率半径をＧ１Ｒ１とするとき、
０．０４＜（ｆＡ−ｆＢ）×Ｇ１Ｒ１／（ｆＡ×ｆＢ）≦０．８３８
なる条件式を満足することを特徴としている。
【００１２】
【発明の効果】
【００１３】
本発明によれば、空気中及び水中の何れにおいても諸収差が良好に補正され、高い光学性能を有し、水中時においても広い撮像画角を確保し、かつ全系がコンパクトな水陸両用に好適な撮像装置が得られる。
【図面の簡単な説明】
【００１４】
【図１】本発明の撮像装置の実施例１の要部概略図
【図２】本発明の撮像装置の参考例の要部概略図
【図３】本発明の実施例１の撮像光学系の撮像状態Ａでのレンズ断面図
【図４】（Ａ）、（Ｂ）、（Ｃ）  本発明の実施例１の撮像光学系の撮像状態Ａでの広角端、中間のズーム位置、望遠端における縦収差図
【図５】本発明の実施例１の撮像光学系の撮像状態Ｂでのレンズ断面図
【図６】（Ａ）、（Ｂ）、（Ｃ）  本発明の実施例１の撮像光学系の撮像状態Ｂでの広角端、中間のズーム位置、望遠端における縦収差図
【図７】本発明の実施例２の撮像光学系の撮像状態Ａでのレンズ断面図
【図８】本発明の実施例２の撮像光学系の撮像状態Ｂでのレンズ断面図
【図９】（Ａ）、（Ｂ）、（Ｃ）  本発明の実施例２の撮像光学系の撮像状態Ｂでの広角端、中間のズーム位置、望遠端における縦収差図
【図１０】本発明の参考例１の撮像光学系の撮像状態Ａでのレンズ断面図
【図１１】本発明の参考例１の撮像光学系の撮像状態Ｂでのレンズ断面図
【図１２】（Ａ）、（Ｂ）、（Ｃ）  本発明の参考例１の撮像光学系の撮像状態Ｂでの広角端、中間のズーム位置、望遠端における縦収差図
【図１３】本発明の実施例３の撮像光学系の撮像状態Ａでのレンズ断面図
【図１４】（Ａ）、（Ｂ）、（Ｃ）  本発明の実施例３の撮像光学系の撮像状態Ａでの広角端、中間のズーム位置、望遠端における縦収差図
【図１５】本発明の実施例３の撮像光学系の撮像状態Ｂでのレンズ断面図
【図１６】（Ａ）、（Ｂ）、（Ｃ）  本発明の実施例３の撮像光学系の撮像状態Ｂでの広角端、中間のズーム位置、望遠端における縦収差図
【図１７】本発明の参考例２の撮像光学系の撮像状態Ａでのレンズ断面図
【図１８】（Ａ）、（Ｂ）、（Ｃ）  本発明の参考例２の撮像光学系の撮像状態Ａでの広角端、中間のズーム位置、望遠端における縦収差図
【図１９】本発明の参考例２の撮像光学系の撮像状態Ｂでのレンズ断面図
【図２０】（Ａ）、（Ｂ）、（Ｃ）  本発明の参考例２の撮像光学系の撮像状態Ｂでの広角端、中間のズーム位置、望遠端における縦収差図
【図２１】本発明の実施例４の撮像光学系の撮像状態Ａでのレンズ断面図
【図２２】（Ａ）、（Ｂ）、（Ｃ）  本発明の実施例４の撮像光学系の撮像状態Ａでの広角端、中間のズーム位置、望遠端における縦収差図
【図２３】本発明の実施例４の撮像光学系の撮像状態Ｂでのレンズ断面図
【図２４】（Ａ）、（Ｂ）、（Ｃ）  本発明の実施例４の撮像光学系の撮像状態Ｂでの広角端、中間のズーム位置、望遠端における縦収差図
【図２５】本発明の実施例５の撮像光学系の撮像状態Ａでのレンズ断面図
【図２６】本発明の実施例５の撮像光学系の撮像状態Ａでの収差図
【図２７】本発明の実施例５の撮像光学系の撮像状態Ｂでのレンズ断面図
【図２８】本発明の実施例５の撮像光学系の撮像状態Ｂでの収差図
【図２９】本発明の撮像装置の要部概略図
【発明を実施するための形態】
【００１５】
以下に、本発明の好ましい実施の形態を、添付の図面に基づいて詳細に説明する。本発明の撮像装置は、最も光入射側に配置され、光入射側の面が凸形状の保護レンズと、開口絞りと、光学系Ａと、光学系Ａと異なる光学特性を有する光学系Ｂを有する撮像光学系と、撮像光学系を収容し、外部の媒質と内部の媒質を隔離する筐体とを有している。
【００１６】
更に、筐体の外部の媒質に応じて光学系Ａまたは光学系Ｂのいずれか一方を、撮像光学系の光路中の開口絞りの像側に選択的に配置する切り替え手段を有する。ここで光学系Ａが光路中に配置されるときを撮像状態Ａ、光学系Ｂが光路中に配置されるときを撮像状態Ｂという。
【００１７】
この他、本発明の参考例としての撮像装置は、最も光入射側に配置され、光入射側の面が凸形状の保護レンズと、開口絞りと、光学系Ｃを有する撮像光学系と、撮像光学系を収容し、外部の媒質と内部の媒質を隔離する筐体とを有している。更に筐体の外部の媒質に応じて光学系Ｃを撮像光学系の光路中に挿脱する挿脱手段を有する。ここで光学系Ｃが光路中に配置されないときを撮像状態Ａ、光学系Ｃが光路中に配置されているときを撮像状態Ｂという。
【００１８】
図１は本発明の撮像状態の実施例１の要部概略図である。図２は本発明の撮像装置の参考例の要部概略図である。図３、図５は実施例１の撮像光学系のレンズ断面図、図４、図６は実施例１の撮像光学系の収差図である。図７、図８は実施例２の撮像光学系のレンズ断面図、図９は実施例２の撮像光学系の収差図である。図１０、図１１は参考例１の撮像光学系のレンズ断面図、図１２は参考例１の撮像光学系の収差図である。図１３、図１５は実施例３の撮像光学系のレンズ断面図、図１４、図１６は実施例３の撮像光学系の収差図である。
【００１９】
図１７、図１９は参考例２の撮像光学系のレンズ断面図、図１８、図２０は参考例２の撮像光学系の収差図である。図２１、図２３は実施例４の撮像光学系のレンズ断面図、図２２、図２４は実施例４の撮像光学系の収差図である。図２５、図２７は実施例５の撮像光学系のレンズ断面図、図２６、図２８は実施例５の撮像光学系の収差図である。図２９は本発明の撮像装置の要部概略図である。
【００２０】
図１の撮像装置の実施例１において、１は筐体であり、最も光入射側に配置され、光入射側の面が凸形状の保護レンズを含む撮像光学系ＯＬを収納する。保護レンズＰＧは筐体１に固定保持されている。筐体１は、筐体１の外部の媒質と内部の媒質を隔離（密閉）している。例えば、水中に配置したとき、筐体１の外部から内部に水が浸入しないようにしている。
【００２１】
撮像光学系ＯＬは、開口絞りＳＰと、開口絞りＳＰよりも像側に配置され、撮像光学系ＯＬの光路中に選択的に配置される光学系Ａ及び光学系Ｂを備えている。撮像光学系ＯＬはズームレンズ又は単一の焦点距離の光学系よりなっている。光学系Ａと光学系Ｂは互いに異なる光学特性を有している。２は切り替え手段であり、筐体１の外部の媒質に応じて光学系Ａまたは光学系Ｂのいずれか一方を、撮像光学系ＯＬの光路中に選択的に配置する。
【００２２】
図２の撮像装置の参考例は図１の実施例１に比べて光路中に配置する光学系Ａと光学系Ｂの代わりに１つの光学系Ｃを用いていること、切り替え手段２の代わりに挿脱手段３を用いている点が異なっており、その他の構成は同じである。即ち、撮像光学系ＯＬは、開口絞りＳＰと、開口絞りＳＰよりも像側に配置され、撮像光学系ＯＬの光路中に挿脱可能な光学系Ｃを備えている。挿脱手段３は筐体１の外部の媒質に応じて光学系Ｃを撮像光学系ＯＬの光路中に挿脱する。
【００２３】
次に本発明の撮像装置に用いられる撮像光学系ＯＬの各実施例と参考例について説明する。本発明の撮像光学系ＯＬは、最も物体側に物体側の面が周囲の媒質から撮像光学系ＯＬ内部を隔離した保護レンズＰＧを有している。本構成とすることにより、周囲の媒質が水のような液体であったとき、撮像光学系ＯＬ内部への媒質の侵入を防いでいる。また、本発明の撮像光学系ＯＬの保護レンズＰＧの物体側の面が、物体側に凸面を向けた形状よりなっている。
【００２４】
本構成とすることにより、周囲の媒質が水のように屈折率が１．０より大きい場合であっても、広い撮像画角を容易に確保している。また、本発明の撮像光学系ＯＬは、開口絞りＳＰよりも像側に撮像状態に応じて光路中より切り替え可能な光学系Ａ及び光学系Ｂを有する。また、撮像光学系ＯＬは周囲の媒質が空気の場合は光路中に光学系Ａを配置した撮像状態Ａにて撮影を行い、周囲の媒質が屈折率１．０より大きい場合は光路中に光学系Ｂを配置した撮像状態Ｂにて撮影を行う。
【００２５】
本構成とすることにより、撮像光学系ＯＬは周囲の媒質が空気の場合と、周囲の媒質が水のように屈折率１．０より大きい場合との双方の撮像状態において、良好な光学性能を達成している。特に、光学系Ａおよび光学系Ｂを開口絞りＳＰよりも像側に配置することにより、像面湾曲と倍率色収差の補正を効果的に行いつつ、撮像光学系全体の小型化を図っている。
【００２６】
また、各実施例の撮像光学系では、保護レンズＰＧが結像面に対し位置固定されている。本構成とすることにより、撮像光学系ＯＬ内部への水などの媒質の侵入防止を効果的に行っている。まず、本発明の撮像装置に用いられる撮像光学系ＯＬが図１の実施例１に示す光学系Ａと光学系Ｂを有するときの構成について説明する。
【００２７】
光学系Ａと光学系Ｂはいずれも２枚以下のレンズより構成される。光学系Ａの焦点距離をｆＡ、光学系Ｂの焦点距離をｆＢ、保護レンズＰＧの光入射側のレンズ面の曲率半径をＧ１Ｒ１、撮像光学系ＯＬのレンズ全長をＬとする。ここでレンズ全長Ｌは撮像光学系ＯＬがズームレンズのときは広角端におけるレンズ全長である。
【００２８】
撮像光学系ＯＬの光路中に光学系Ａが配置されているときにおける光学系Ａの最も光入射側のレンズ面頂点から像面までの距離をＫＡとする。撮像光学系の光路中に光学系Ｂが配置されているときにおける光学系Ｂの最も光入射側のレンズ面頂点から像面までの距離をＫＢとする。距離ＫＡ、距離ＫＢは撮像光学系ＯＬがズームレンズのときは広角端における距離である。光学系Ｂは１枚以上の正レンズを有し、光学系Ｂの中で屈折力の最も高い正レンズＢｐの材料のアッベ数をνｄＢとする。
【００２９】
筐体１の外部の媒質のｄ線に対する屈折率をｎｄとしたとき、筐体１の外部の媒質が、
１．１０＜ｎｄ＜１．５０    ・・・（５）
なる条件式を満足する媒質であるとき、切り替え手段は、撮像光学系ＯＬの光路中に光学系Ｂを配置する。
【００３０】
光学系Ａは１枚以上の正レンズを有し、光学系Ｂは１枚以上の正レンズを有し、光学系Ａに含まれる正レンズのうち屈折力の最も大きい正レンズＡｐの材料のアッベ数をνｄＡとする。光学系Ｂに含まれる正レンズのうち屈折力の最も大きい正レンズＢｐの材料のアッベ数をνｄＢとする。正レンズＡｐの材料のｄ線に対する屈折率をｎｄＧＡとする。正レンズＢｐの材料のｄ線に対する屈折率をｎｄＧＢとする。
【００３１】
このとき次の条件式のうち１つ以上を満足するのが良い。
０．０４＜（ｆＡ−ｆＢ）×Ｇ１Ｒ１／（ｆＡ×ｆＢ）≦０．８３８  ・・・（１）
０．５０＜Ｇ１Ｒ１／Ｌ＜３．００                      ・・・（２）
０．０２＜ＫＡ／Ｌ＜０．６０                          ・・・（３Ａ）
０．０２＜ＫＢ／Ｌ＜０．６０                          ・・・（３Ｂ）
１０．０＜νｄＢ＜６２．０                            ・・・（４）
１．００＜νｄＡ／νｄＢ＜５．００                    ・・・（６）
１．００≦ｎｄＧＢ／ｎｄＧＡ＜１．６０                ・・・（７）
【００３２】
次に本発明の撮像装置に用いられる撮像光学系ＯＬが図２の参考例に示す撮像光学系ＯＬが光学系Ａ、光学系Ｂの代わりに光学系Ｃのみを有するときの構成について説明する。光学系Ｃは２枚以下のレンズより構成される。光学系Ｃの焦点距離をｆＣ、保護レンズＰＧの光入射側のレンズ面の曲率半径をＧ１Ｒ１、撮像光学系ＯＬのレンズ全長をＬとする。撮像光学系ＯＬの光路中に光学系Ｃが配置されているときにおける光学系Ｃの最も光入射側のレンズ面頂点から像面までの距離をＫＣ、撮像光学系ＯＬのレンズ全長をＬとする。
【００３３】
光学系Ｃは１枚以上の正レンズを有し、光学系Ｃの中で屈折力の最も高い正レンズＣｐの材料のアッベ数をνｄＣとする。
【００３４】
筐体１の外部の媒質のｄ線に対する屈折率をｎｄとしたとき、筐体１の外部の媒質が、１．１０＜ｎｄ＜１．５０      ・・・（５Ｘ）
なる条件式を満足する媒質であるとき、挿脱手段３は、撮像光学系ＯＬの光路中に光学系Ｃを挿入する。但し、パラメーター、レンズ全長、距離ＫＣ、焦点距離ｆＷＣ１、焦点距離ｆＷは撮像光学系ＯＬがズームレンズのときは広角端における値である。
【００３５】
このとき次の条件式のうち１つ以上を満足するのが良い。
０．０４＜（１／ｆＣ）×Ｇ１Ｒ１＜１．８０      ・・・（１Ｘ）
０．５０＜Ｇ１Ｒ１／Ｌ＜３．００                ・・・（２Ｘ）
０．０２＜ＫＣ／Ｌ＜０．６０                    ・・・（３ＢＸ）
１０．０＜νｄＣ＜６２．０                      ・・・（４Ｘ）
【００３６】
ここで、条件式（１）は条件式（１Ｘ）に相当する。条件式（２）は条件式（２Ｘ）に相当する。条件式（３Ａ）、（３Ｂ）は条件式（３ＢＸ）に相当する。条件式（４）は条件式（４Ｘ）に相当する。条件式（５）は条件式（５Ｘ）に相当する。そして双方の技術的意味は同じである。即ち、図２の参考例においては図１の実施例１における光学系Ｂが光学系Ｃに相当し、光学系Ａが空気レンズに相当する。
【００３７】
そして条件式（１Ｘ）においては条件式（１）における焦点距離ｆＡは無限大に相当する。条件式（３ＢＸ）は条件式（３Ａ）におけるＫＡ→Ｏ、条件式（３Ａ）におけるＫＢ→ＫＣに相当する。条件式（４Ｘ）は条件式（４Ａ）におけるνｄＢ→νｄＣに相当する。
【００３８】
次に前述の各条件式の技術的意味について説明する。尚、以下の説明において、図２に示す撮像装置では、光学系Ａに相当するものは空気レンズ（仮想のレンズ）、光学系Ｂに相当するものは光学系Ｃとして取り扱うことができる。撮像状態Ａは図１に示す撮像装置では光学系Ａが光路中に配置されているとき、図２に示す撮像状態では光学系Ｃが配置されていない撮像状態をいう。また撮像状態Ｂは図１に示す撮像装置では光学系Ｂが光路中に配置されているとき、図２に示す撮像装置では光学系Ｃが光路中に配置されているときをいう。
【００３９】
条件式（１）は、光学系Ｂと光学系Ａの屈折力の差分と、保護レンズＰＧの物体側の面の曲率半径Ｇ１Ｒ１との積を規定している。条件式（１）の上限を超えて、光学系Ｂと光学系Ａの屈折力の差分が大きくなり過ぎると、撮像状態Ａと撮像状態Ｂでのペッツバール和を小さくすることが難しくなり、像面湾曲の補正が困難となる。あるいは、保護レンズＰＧの面の曲率半径Ｇ１Ｒ１が大きくなり過ぎて、撮像状態Ｂにおいて広い撮像画角を得るのが困難になる。
【００４０】
条件式（１）の下限値を超えて、光学系Ｂと光学系Ａの屈折力の差分が小さくなり過ぎると、撮像状態Ａと撮像状態Ｂでのペッツバール和を小さくすることが難しくなり、像面湾曲の補正が困難となる。あるいは、保護レンズＰＧの面の曲率半径Ｇ１Ｒ１が小さくなり過ぎて、撮像状態Ｂにおいて像面湾曲の高次成分の補正が困難となる。光学系Ａが空気レンズの場合、焦点距離ｆＡの値は無限大となる。なお、条件式（１）において構成上さらに好ましくは、数値範囲を次の如く設定するのが良い。
【００４１】
０．０５＜（ｆＡ−ｆＢ）×Ｇ１Ｒ１／（ｆＡ×ｆＢ）＜１．７５    ・・・（１ａ）
より更に好ましくは、条件式（１ａ）の数値範囲を次の如く設定するのが良い。
０．０６＜（ｆＡ−ｆＢ）×Ｇ１Ｒ１／（ｆＡ×ｆＢ）＜１．７０    ・・・（１ｂ）
【００４２】
条件式（２）は、保護レンズＰＧの物体側の面の曲率半径Ｇ１Ｒ１と撮像光学系ＯＬのレンズ全長Ｌとの比を規定している。ここでレンズ全長とは第１レンズ面から最終レンズ面までの距離にバックフォーカスを加えた値である。バックフォーカスは最終レンズ面から像面までの空気換算の距離である。条件式（２）の上限値を超えて、物体側の面の曲率半径Ｇ１Ｒ１が長くなり過ぎると、特に撮像状態Ｂにおいて広い撮像画角を確保するのが難しくなる。あるいは、レンズ全長Ｌが短くなり過ぎると、各光学系（レンズ部）の屈折力が強くなり過ぎ、球面収差などの諸収差の補正が困難となる。
【００４３】
条件式（２）の下限値を超えて、物体側の面の曲率半径Ｇ１Ｒ１が短くなり過ぎると、特に撮像状態Ｂにおいて像面湾曲等の高次成分の収差補正が困難となる。あるいは、レンズ全長Ｌが長くなり過ぎると、撮像光学系ＯＬ全体が大型化してくる。
【００４４】
条件式（３）は、光学系Ａ、光学系Ｂの最物体側のレンズ面頂点から像面までの距離Ｋと撮像光学系ＯＬのレンズ全長Ｌとの比を規定している。ここで光学系Ａが空気レンズのときは光学系Ｂのみが対象となる。条件式（３）の上限値を超えて、距離Ｋが長くなり過ぎると、光学系Ａ、光学系Ｂの位置が開口絞りＳＰの位置に近くなり過ぎるため、特に像面湾曲や倍率色収差等の補正が困難となる。条件式（３）の下限値を超えて、距離Ｋが短くなり過ぎると、バックフォーカスを所定量確保するのが困難となる。
【００４５】
条件式（４）は、光学系Ｂに含まれるレンズの中で屈折力の最も大きい正レンズＢｐの材料のアッベ数νｄＢの範囲を規定している。条件式（４）の上限値を超えると、撮像状態Ｂにおいて倍率色収差の補正が不足してくる。条件式（４）の下限値を超えると、撮像状態Ｂにおいて倍率色収差の補正が過剰となってくまる。
【００４６】
【００４７】
条件式（５）は、撮像状態Ｂにて撮影を行う場合における撮像光学系ＯＬの周囲の媒質のｄ線に対する屈折率の範囲を規定している。本発明の撮像光学系は、特に撮像状態Ｂにおける撮像光学系ＯＬの周囲の媒質の屈折率が１．３３３程度の水の場合に好適となる構成としている。条件式（５）の上限値を超えて、水との屈折率差がプラス方向に大きくなり過ぎると、撮像状態Ｂでの像面湾曲等の補正が困難となる。条件式（５）の下限値を超えて、水との屈折率差がマイナス方向に大きくなり過ぎると、撮像状態Ｂでの像面湾曲の補正が困難となる。
【００４８】
なお、各実施例において構成上さらに好ましくは、条件式（２）乃至（５）の数値範囲を次の如く設定するのが良い。
０．５５＜Ｇ１Ｒ１／Ｌ＜２．９５      ・・・（２ａ）
０．０３＜ＫＡ／Ｌ＜０．５８          ・・・（３Ａａ）
０．０３＜ＫＢ／Ｌ＜０．５８          ・・・（３Ｂａ）
１０．５＜νｄＢ＜６１．０            ・・・（４ａ）
１．１２＜ｎｄＢ＜１．４８            ・・・（５ａ）
【００４９】
更に好ましくは、条件式（２ａ）、（３Ａａ）、（３Ｂａ）、（４ａ）、（５ａ）の数値範囲を次の如く設定するのが良い。
０．６０＜Ｇ１Ｒ１／Ｌ＜２．９０      ・・・（２ｂ）
０．０４＜ＫＡ／Ｌ＜０．５６          ・・・（３Ａｂ）
０．０４＜ＫＢ／Ｌ＜０．５６          ・・・（３Ｂｂ）
１１．０＜νｄＢ＜６０．０            ・・・（４ｂ）
１．１４＜ｎｄＢ＜１．４６            ・・・（５ｂ）
【００５０】
条件式（６）はアッベ数νｄＢに対するアッベ数νｄＡの比を規定している。条件式（６）の上限を超えると、撮像状態Ｂにおける倍率色収差の補正が過剰となるため、好ましくない。条件式（６）の下限を超えると、撮像状態Ｂにおける倍率色収差の補正が不足するため、好ましくない。
【００５１】
条件式（７）は屈折率ｎｄＧＡに対する屈折率ｎｄＧＢの比を規定している。条件式（７）の上限を超えると、撮像状態Ｂにおけるペッツバール和の補正が不足し、像面湾曲の補正が困難となるため、好ましくない。条件式（７）の下限を超えると、撮像状態Ｂにおけるペッツバール和の補正が過剰となり、像面湾曲の補正が困難となるため、好ましくない。
【００５２】
さらに好ましくは、条件式（６）、（７）の数値範囲を次の如く設定するのが良い。
１．０５＜νｄＡ／νｄＢ＜４．９０    ・・・（６ａ）
１．００≦ｎｄＧＢ／ｎｄＧＡ＜１．５５・・・（７ａ）
【００５３】
よりさらに好ましくは、条件式（６ａ）、（７ａ）の数値範囲を次の如く設定するのが良い。
１．１０＜νｄＡ／νｄＢ＜４．８５    ・・・（６ｂ）
１．００≦ｎｄＧＢ／ｎｄＧＡ＜１．５０・・・（７ｂ）
以下、本発明に係る撮像光学系の実施例１乃至５、参考例１，２について説明する。
【００５４】
［実施例１］
（撮像状態Ａ）
図３（Ａ）、（Ｂ）、（Ｃ）は、本発明の実施例１の撮像光学系の撮像状態Ａでの広角端（短焦点距離）、中間のズーム位置、望遠端（長焦点距離）におけるレンズ断面図である。図４（Ａ）、（Ｂ）、（Ｃ）はそれぞれ実施例１（撮像状態Ａ）の撮像光学系の広角端、中間のズーム位置、望遠端における縦収差図である。実施例１（撮像状態Ａ）はズーム比２．９４、開口比（Ｆナンバー）２．８８〜５．０４程度のズームレンズである。
【００５５】
図３のレンズ断面図において、Ｌ１は保護レンズＰＧを含む負の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。光学系Ａは第５レンズ群である。
【００５６】
ＳＰは開放Ｆナンバー（Ｆｎｏ）光束を決定（制限）する開口絞りの作用をするＦナンバー決定部材（以下「開口絞り」ともいう。）である。Ｇは光学フィルター、フェースプレート、水晶ローパスフィルター、赤外カットフィルター等に相当する光学ブロックである。ＩＰは像面であり、ビデオカメラやデジタルスチルカメラ等の撮像光学系として使用する際にはＣＣＤセンサやＣＭＯＳセンサ等の固体撮像素子（光電変換素子）の撮像面が置かれる。又、銀塩フィルム用カメラの撮像光学系として使用する際にはフィルム面に相当する感光面が置かれている。
【００５７】
図３のズームレンズでは、ズーミングに際して隣り合うレンズ群の間隔が変化するように第２レンズ群Ｌ２、第３レンズ群Ｌ３、第４レンズ群Ｌ４が移動する。広角端から望遠端へのズーミングに際して隣り合うレンズ群の間隔変化は次のとおりである。広角端に対して望遠端にて、第１レンズ群Ｌ１と第２レンズ群Ｌ２との間隔が狭まる、第２レンズ群Ｌ２と第３レンズ群Ｌ３との間隔が狭まる、第３レンズ群Ｌ３と第４レンズ群Ｌ４との間隔が広がる、第４レンズ群Ｌ４と第５レンズ群Ｌ５との間隔が広がる。
【００５８】
なお、ズーミングに際して第１レンズ群Ｌ１と第５レンズ群Ｌ５は、不動である。またズーミングに際して開口絞りＳＰは第３レンズ群Ｌ３と一体（同じ軌跡）で移動している。
【００５９】
広角端に対して望遠端にて、第２レンズ群Ｌ２、第３レンズ群Ｌ３、第４レンズ群Ｌ４、はいずれも物体側に位置している。またズーミングに際して第２レンズ群Ｌ２は像側に凸状の軌跡で移動している。ズーミングに際して以上のように各レンズ群を適切に移動させることで全系の小型化と高ズーム比化を図っている。なお、撮像状態Ａでは、撮像光学系ＯＬの周囲の媒質がｄ線に対する屈折率１．０００の空気である。
【００６０】
（撮像状態Ｂ）
図５（Ａ）、（Ｂ）、（Ｃ）は、本発明の実施例１の撮像光学系の撮像状態Ｂでの広角端、中間のズーム位置、望遠端におけるレンズ断面図である。
【００６１】
実施例１では図３の第５レンズ群Ｌ５を光学系Ａとしている。図５では正の屈折力の第５レンズ群Ｌ５を光学系Ｂとしている。光学系Ａと光学系Ｂとは互いにレンズ構成が異なる。そして実施例１（撮像状態Ａ）の撮像光学系に対し、正の屈折力の第５レンズ群Ｌ５（光学系Ａ）の代わりに正の屈折力の第５レンズ群Ｌ５（光学系Ｂ）に切り替えている。撮像状態Ｂでは撮像状態Ａに比べてズーミングに際しては、第４レンズ群Ｌ４の移動軌跡のみが異なる。
【００６２】
図６（Ａ）、（Ｂ）、（Ｃ）はそれぞれ実施例１（撮像状態Ｂ）の撮像光学系の広角端、中間のズーム位置、望遠端における縦収差図である。実施例１（撮像状態Ｂ）はズーム比３．００、開口比２．８８〜５．０４程度のズームレンズである。なお、本撮像状態Ｂでは、撮像光学系ＯＬの周囲の媒質がｄ線に対する屈折率１．３３３の水である。
【００６３】
［実施例２］
（撮像状態Ａ）
図７（Ａ）、（Ｂ）、（Ｃ）に示す実施例２の撮像光学系の撮像状態Ａのレンズ構成は図３（Ａ）、（Ｂ）、（Ｃ）の実施例１の撮像状態Ａと同じである。実施例２では図３の第４レンズ群Ｌ４を光学系Ａとしている。図７では正の屈折力の第４レンズ群Ｌ４を光学系Ａとして示している。
【００６４】
（撮像状態Ｂ）
図８（Ａ）、（Ｂ）、（Ｃ）は、本発明の実施例２の撮像光学系の撮像状態Ｂでのレンズ断面図である。図３の実施例１（撮像状態Ａ）の撮像光学系に対し、正の屈折力の第４レンズ群Ｌ４の代わりに正の屈折力の第４レンズ群Ｌ４（光学系Ｂ）に切り替えている。撮像状態Ｂでは撮像状態Ａに比べてズーミングに際しては、第４レンズ群Ｌ４の移動軌跡のみが異なる。
【００６５】
図９（Ａ）、（Ｂ）、（Ｃ）はそれぞれ実施例２（撮像状態Ｂ）の撮像光学系の広角端、中間のズーム位置、望遠端における縦収差図である。実施例２（撮像状態Ｂ）はズーム比３．０１、開口比２．８８〜５．０４程度のズームレンズである。
【００６６】
なお、本撮像状態Ｂでは撮像光学系ＯＬの周囲の媒質がｄ線に対する屈折率１．３３３の水である。
【００６７】
［参考例１］
（撮像状態Ａ）
図１０（Ａ）、（Ｂ）、（Ｃ）に示す参考例１の撮像光学系の撮像状態Ａのレンズ構成は実施例１の撮像状態Ａと同じである。参考例１では図３の第５レンズ群Ｌ５を光学系Ａとしている。図１０では正の屈折力の第５レンズ群Ｌ５を光学系Ａとして示している。
【００６８】
（撮像状態Ｂ）
図１１（Ａ）、（Ｂ）、（Ｃ）は、本発明の参考例１の撮像光学系の撮像状態Ｂでのレンズ断面図である。図３の実施例１（撮像状態Ａ）の撮像光学系に対し、正の屈折力の第５レンズ群Ｌ５（光学系Ａ）の代わりに正の屈折力の第５レンズ群Ｌ５（光学系Ｂ）に切り替えている。撮像状態Ｂでは撮像状態Ａに比べてズーミングに際しては、第４レンズ群Ｌ４の移動軌跡のみが異なる。
【００６９】
図１２（Ａ）、（Ｂ）、（Ｃ）はそれぞれ参考例１（撮像状態Ｂ）の撮像光学系の広角端、中間のズーム位置、望遠端における縦収差図である。参考例１（撮像状態Ｂ）はズーム比３．００、開口比２．８８〜５．０４程度のズームレンズである。なお、本撮像状態Ｂでは、周囲の媒質がｄ線に対する屈折率１．３３３の水である。
【００７０】
［実施例３］
（撮像状態Ａ）
図１３（Ａ）、（Ｂ）、（Ｃ）は、本発明の実施例３の撮像光学系の撮像状態Ａでの広角端、中間のズームレンズ、望遠端におけるレンズ断面図である。図１４（Ａ）、（Ｂ）、（Ｃ）はそれぞれ実施例３（撮像状態Ａ）の撮像光学系の広角端、中間のズーム位置、望遠端における縦収差図である。実施例３（撮像状態Ａ）はズーム比２．９４、開口比２．８８〜５．０４程度のズームレンズである。
【００７１】
図１３のレンズ断面図において、Ｌ１は保護レンズＰＧを含む負の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。光学系Ａは第５レンズ群Ｌ５である。
【００７２】
図１３のズームレンズでは、ズーミングに際して隣り合うレンズ群の間隔が変化するように第２レンズ群Ｌ２、第３レンズ群Ｌ３、第４レンズ群Ｌ４が移動する。広角端から望遠端へのズーミングに際しての隣り合うレンズ群の間隔変化は次のとおりである。広角端に対して望遠端にて、第１レンズ群Ｌ１と第２レンズ群Ｌ２との間隔が狭まる、第２レンズ群Ｌ２と第３レンズ群Ｌ３との間隔が狭まる、第３レンズ群Ｌ３と第４レンズ群Ｌ４との間隔が広がる、第４レンズ群Ｌ４と第５レンズ群Ｌ５との間隔が広がる。
【００７３】
なお、ズーミングに際して第１レンズ群Ｌ１と第５レンズ群Ｌ５は、不動である。またズーミングに際して開口絞りＳＰは第３レンズ群Ｌ３と一体で移動している。
【００７４】
広角端に対して望遠端にて、第２レンズ群Ｌ２、第３レンズ群Ｌ３、第４レンズ群Ｌ４、はいずれも物体側に位置している。またズーミングに際して第２レンズ群Ｌ２は像側に凸状の軌跡で移動している。ズーミングに際して以上のように各レンズ群を適切に移動させることで全系の小型化と高ズーム比化を図っている。なお、撮像状態Ａでは、撮像光学系ＯＬの周囲の媒質がｄ線に対する屈折率１．０００の空気である。
【００７５】
（撮像状態Ｂ）
図１５（Ａ）、（Ｂ）、（Ｃ）は、本発明の実施例３の撮像光学系の撮像状態Ｂでの広角端、中間のズーム位置、望遠端におけるレンズ断面図である。図１５は正の屈折力の第５レンズ群Ｌ５を光学系Ｂとしている。実施例３（撮像状態Ａ）の撮像光学系に対し、正の屈折力の第５レンズ群Ｌ５（光学系Ａ）の代わりに正の屈折力の第５レンズ群Ｌ５（光学系Ｂ）に切り替えている。撮像状態Ｂでは撮像状態Ａに比べてズーミングに際しては、第４レンズ群Ｌ４の移動軌跡のみが異なる。
【００７６】
図１６（Ａ）、（Ｂ）、（Ｃ）はそれぞれ実施例３（撮像状態Ｂ）の撮像光学系の広角端、中間のズーム位置、望遠端における縦収差図である。実施例３（撮像状態Ｂ）はズーム比３．０５、開口比２．８８〜５．０４程度のズームレンズである。なお、撮像状態Ｂでは、撮像光学系ＯＬの周囲の媒質がｄ線に対する屈折率１．３３３の水である。
【００７７】
［参考例２］
（撮像状態Ａ）
図１７（Ａ）、（Ｂ）、（Ｃ）は、本発明の参考例２の撮像光学系の撮像状態Ａでの広角端、中間のズーム位置、望遠端におけるレンズ断面図である。図１８（Ａ）、（Ｂ）、（Ｃ）はそれぞれ参考例２（撮像状態Ａ）の撮像光学系の広角端、中間のズーム位置、望遠端における縦収差図である。参考例２（撮像状態Ａ）はズーム比２．９４、開口比２．８８〜５．０４程度のズームレンズである。
【００７８】
図１７のレンズ断面図において、Ｌ１は保護レンズＰＧを含む負の屈折力の第１レンズ群、Ｌ２は負の屈折力の第２レンズ群、Ｌ３は正の屈折力の第３レンズ群、Ｌ４は正の屈折力の第４レンズ群である。また、本実施例では第４レンズ群Ｌ４の像側に仮想の空気レンズ（光学系Ａ）を設定している。
【００７９】
図１７のズームレンズでは、ズーミングに際して隣り合うレンズ群の間隔が変化するように第２レンズ群Ｌ２、第３レンズ群Ｌ３、第４レンズ群Ｌ４が移動する。広角端から望遠端へのズーミングに際しての隣り合うレンズ群の間隔変化は次のとおりである。第１レンズ群Ｌ１と第２レンズ群Ｌ２との間隔が狭まる、第２レンズ群Ｌ２と第３レンズ群Ｌ３との間隔が狭まる、第３レンズ群Ｌ３と第４レンズ群Ｌ４との間隔が広がる。なお、ズーミングに際して第１レンズ群Ｌ１は不動である。またズーミングに際して開口絞りＳＰは第３レンズ群Ｌ３と一体で移動している。
【００８０】
広角端に対して望遠端にて、第２レンズ群Ｌ２、第３レンズ群Ｌ３、第４レンズ群Ｌ４、はいずれも物体側に位置している。またズーミングに際して第２レンズ群Ｌ２は像側に凸状の軌跡で移動している。ズーミングに際して以上のように各レンズ群を適切に移動させることで全系の小型化と高ズーム比化を図っている。なお、撮像状態Ａでは、撮像光学系ＯＬの周囲の媒質がｄ線に対する屈折率１．０００の空気である。
【００８１】
（撮像状態Ｂ）
図１９（Ａ）、（Ｂ）、（Ｃ）は、本発明の参考例２の撮像光学系の撮像状態Ｂでの広角端、中間のズーム位置、望遠端におけるレンズ断面図である。図１９では正の屈折力の第５レンズ群Ｌ５を光学系Ｃとしている。参考例２（撮像状態Ａ）の撮像光学系に対し、空気レンズ（光学系Ａ）の代わりに正の屈折力の第５レンズ群Ｌ５（光学系Ｃ）に切り替えている。撮像状態Ｂでは撮像状態Ａに比べてズーミングに際しては、第４レンズ群Ｌ４の移動軌跡のみが異なる。ズーミングに際して第５レンズ群Ｌ５（光学系Ｂ）は、不動である。
【００８２】
図２０（Ａ）、（Ｂ）、（Ｃ）はそれぞれ参考例２（撮像状態Ｂ）の撮像光学系の広角端、中間のズーム位置、望遠端における縦収差図である。参考例２（撮像状態Ｂ）はズーム比３．０９、開口比２．８８〜５．０４程度のズームレンズである。なお、撮像状態Ｂでは、撮像光学系ＯＬの周囲の媒質がｄ線に対する屈折率１．３３３の水である。
【００８３】
［実施例４］
（撮像状態Ａ）
図２１（Ａ）、（Ｂ）、（Ｃ）は、本発明の実施例４の撮像光学系の撮像状態Ａでの広角端、中間のズーム位置、望遠端におけるレンズ断面図である。図２２（Ａ）、（Ｂ）、（Ｃ）はそれぞれ実施例４（撮像状態Ａ）の撮像光学系の広角端、中間のズーム位置、望遠端における縦収差図である。実施例４（撮像状態Ａ）はズーム比２．０５、開口比２．８８〜４．０３程度のズームレンズである。
【００８４】
図２１のレンズ断面図において、Ｌ１は保護レンズＰＧを含む負の屈折力の第１レンズ群、Ｌ２は正の屈折力の第２レンズ群、Ｌ３は負の屈折力の第３レンズ群、Ｌ４は正の屈折力の第４レンズ群である。またＬ５は正の屈折力の第５レンズ群、Ｌ６は正の屈折力の第６レンズ群である。
【００８５】
図２１のズームレンズでは、ズーミングに際して隣り合うレンズ群の間隔が変化するように第２レンズ群Ｌ２乃至第５レンズ群Ｌ５が移動する。広角端から望遠端へのズーミングに際しての隣り合うレンズ群の間隔は次のとおりである。
【００８６】
広角端に対して望遠端にて、第１レンズ群Ｌ１と第２レンズ群Ｌ２との間隔が狭まる、第２レンズ群Ｌ２と第３レンズ群Ｌ３との間隔が広がる、第３レンズ群Ｌ３と第４レンズ群Ｌ４との間隔が狭まる、第４レンズ群Ｌ４と第５レンズ群Ｌ５との間隔が広がる。また、第５レンズ群Ｌ５と第６レンズ群Ｌ６との間隔が広がる。なお、ズーミングに際して第１レンズ群Ｌ１と第６レンズ群Ｌ６は、不動である。またズーミングに際して、開口絞りＳＰは各レンズ群とは独立して移動している。
【００８７】
更に、広角端に対して望遠端にて、第２レンズ群Ｌ２、第４レンズ群Ｌ４、第５レンズ群Ｌ５、開口絞りＳＰは物体側に位置しており、また、第３レンズ群Ｌ３は像側に位置している。またズーミングに際して第２レンズ群Ｌ２は像側に凸状の軌跡で移動している。ズーミングに際して以上のように各レンズ群を適切に移動させることで全系の小型化と高変ズーム比化を図っている。なお、撮像状態Ａでは、撮像光学系ＯＬの周囲の媒質がｄ線に対する屈折率１．０００の空気である。
【００８８】
（撮像状態Ｂ）
図２３（Ａ）、（Ｂ）、（Ｃ）は、本発明の実施例４の撮像光学系の撮像状態Ｂでの広角端、中間のズーム位置、望遠端におけるレンズ断面図である。図２３では正の屈折力の第６レンズ群Ｌ６を光学系Ｂとしている。実施例４（撮像状態Ａ）の撮像光学系に対し、正の屈折力の第６レンズ群Ｌ６（光学系Ａ）の代わりに正の屈折力の第６レンズ群Ｌ６（光学系Ｂ）に切り替えている。撮像状態Ｂでは撮像状態Ａに比べてズーミングに際しては、第５レンズ群Ｌ５の移動軌跡のみが異なる。
【００８９】
図２４（Ａ）、（Ｂ）、（Ｃ）はそれぞれ実施例４（撮像状態Ｂ）の撮像光学系の広角端、中間のズーム位置、望遠端における縦収差図である。実施例４（撮像状態Ｂ）はズーム比２．０５、開口比２．８６〜４．０２程度のズームレンズである。なお、撮像状態Ｂでは、撮像光学系ＯＬの周囲の媒質がｄ線に対する屈折率１．３３３の水である。
【００９０】
［実施例５］
（撮像状態Ａ）
図２５は、本発明の実施例５の撮像光学系の撮像状態Ａでのレンズ断面図である。図２６は実施例５（撮像状態Ａ）の撮像光学系の縦収差図である。実施例５（撮像状態Ａ）は開口比１．６４程度の単焦点距離の撮像光学系である。
【００９１】
図２５のレンズ断面図において、Ｇ１は保護レンズＰＧを含む負の屈折力の第１レンズ部、Ｇ２は負の屈折力の第２レンズ部、Ｇ３は正の屈折力の第３レンズ部、Ｇ４は正の屈折力の第４レンズ部、Ｇ５は正の屈折力の第５レンズ部である。光学系Ａは第５レンズ部Ｇ５である。また、開口絞りＳＰは第２レンズ部Ｇ２と第３レンズ部Ｇ３の間に位置している。本レンズ構成とすることにより、広い画角と明るい開口比を達成している。なお、本撮像状態Ａでは、撮像光学系ＯＬの周囲の媒質がｄ線に対する屈折率１．０００の空気である。
【００９２】
（撮像状態Ｂ）
図２７は、本発明の実施例５の撮像光学系の撮像状態Ｂでのレンズ断面図である。実施例５（撮像状態Ａ）の撮像光学系に対し、正の屈折力の第５レンズ部Ｇ５（光学系Ａ）の代わりに正の屈折力の第５レンズ部Ｇ５（光学系Ｂ）に切り替えている。図２８は実施例５（撮像状態Ｂ）の撮像光学系の縦収差図である。実施例５（撮像状態Ｂ）は開口比１．６４程度の単焦点距離の撮像光学系である。なお、本撮像状態Ｂでは、撮像光学系ＯＬの周囲の媒質がｄ線に対する屈折率１．３３３の水である。
【００９３】
尚、また、縦収差図において、球面収差の実線はｄ線、二点鎖線はｇ線を示す。非点収差の破線はメリディオナル像面、実線はサジタル像面を示す。歪曲はｄ線について示している。倍率色収差はｄ線に対するｇ線によって表している。
【００９４】
次に本発明の撮像光学系を用いたデジタルカメラ（撮像装置）の実施例３について図２９を用いて説明する。図２９において、２０はデジタルカメラ本体、２１は上述の各実施例の撮像光学系、２２は撮像光学系２１によって被写体像を受光するＣＣＤ等の撮像素子、２３は撮像素子２２が受光した被写体像を記録する記録手段である。また、２４は不図示の表示素子に表示された被写体像を観察するためのファインダーである。上記表示素子は液晶パネル等によって構成され、撮像素子２２上に形成された被写体像が表示される。
【００９５】
このように本発明の撮像光学系をデジタルカメラ等の撮像装置に適用することにより、空気中及び水中の何れにおいても諸収差が良好に補正される。そして高い光学性能を有し、水中時においても広い撮像画角を確保し、かつコンパクトで安価な水陸両用の撮像装置を得ることができる。
【００９６】
次に本発明の各実施例と参考例の数値データを示す。各数値データにおいて、ｉは物体側からの面の順序を示す。数値データにおいてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のｄ線に対する屈折率、アッベ数である。非球面形状は光軸方向にＸ軸、光軸と垂直方向にＨ軸、物体側から像側へ向かう方向を正としｒを近軸曲率半径、Ｋを円錐定数、Ａ４，Ａ６，Ａ８，Ａ１０を各々非球面係数としたとき
【００９７】
【数１】
0006618268.tif 000002
なる式で表している。
【００９８】
また、［ｅ＋Ｘ］は［×１０＋ｘ］を意味し、［ｅ−Ｘ］は［×１０−ｘ］を意味している。ＢＦはレンズ最終面から近軸像面までの距離（バックフォーカス）を空気換算したものである。レンズ全長はレンズ最前面からレンズ最終面までの距離にバックフォーカスＢＦを加えたものである。非球面は面番号の後に＊を付加して示す。また、距離ＫＡ、ＫＢ、ＫＣは、
光学系Ａ、又は光学系Ｂの最も物体側のレンズ面頂点からレンズ最終面までの距離にバックフォーカスＢＦを加えたものである。また各条件式と数値データにおける諸数値の関係を表１に示す。
【００９９】
［実施例１］
[撮像状態Ａ]
単位 mm
面データ
面番号    r        d       nd          νd
1       65.000    2.50    1.51633     64.1 
2       29.220   (可変) 
3*     -22.841    0.95    1.76802     49.2 
4*      10.231    3.08 
5*     -12.859    0.60    1.69350     53.2 
6*      13.409    0.65 
7        8.078    1.81    1.84666     23.8 
8       25.882   (可変) 
9(絞り)   ∞      0.00 
10*      5.279    1.63    1.69350     53.2 
11*     48.359    0.20 
12       7.767    1.36    1.48749     70.2 
13     116.902    0.50    1.85478     24.8 
14       5.526    0.14 
15*     14.527    0.94    1.62263     58.2 
16*    -24.339   (可変) 
17      11.067    1.16     1.49700    81.5 
18      29.785   (可変) 
19      80.000    2.00     1.51633    64.1 
20     -80.000    1.60 
21      ∞        0.80     1.51633    64.1 
22      ∞        0.60 
像面    ∞
【０１００】
非球面データ
第3面
K = 0.00000e+000 A 4= 1.57582e-003 A 6=-2.87073e-005 A 8= 1.80616e-007
第4面
K = 0.00000e+000 A 4= 1.11655e-003 A 6= 3.69336e-005 
第5面
K = 0.00000e+000 A 4= 1.70633e-003 A 6=-1.27056e-005 
第6面
K = 0.00000e+000 A 4= 2.78879e-003 A 6=-5.17972e-005 
第10面
K = 0.00000e+000 A 4= 6.01185e-004 A 6= 6.37189e-005 A 8= 2.66873e-006
第11面
K = 0.00000e+000 A 4= 2.80516e-003 A 6= 7.75002e-005 
第15面
K = 0.00000e+000 A 4= 8.19026e-003 A 6= 3.65309e-004 A 8=-8.07997e-006
第16面
K = 0.00000e+000 A 4= 6.70862e-003 A 6= 5.99425e-004 A 8= 3.20142e-005
【０１０１】
各種データ
ズーム比      2.94
広角      中間         望遠
焦点距離       3.55      7.01       10.43 
Fナンバー      2.88      3.80        5.04
半画角（度）  47.39     28.83       24.03 
像高           3.86      3.86        4.65 
レンズ全長     37.23    37.23       37.23 
BF             2.73      2.73        2.73 
d2             2.80      4.76        2.00 
d 8            9.84      3.10        1.09 
d16            2.32      2.61        3.73 
d18            2.01      6.50       10.16 
【０１０２】
レンズ群データ
群      始面       焦点距離
1        1        -105.31
2        3          -6.89
3       10           8.58 
4       17          34.72
5       19          77.80
光学系Ａ  第5レンズ群
G1R1        65.000
KA           4.730 
【０１０３】
[撮像状態Ｂ]
単位 mm
面データ
面番号        r        d        nd         νd
1           65.000    2.50     1.51633    64.1 
2           29.220   (可変) 
3*         -22.841    0.95     1.76802    49.2 
4*          10.231    3.08 
5*         -12.859    0.60     1.69350    53.2 
6*          13.409    0.65 
7            8.078    1.81     1.84666    23.8 
8           25.882   (可変) 
9(絞り)       ∞      0.00 
10*         5.279     1.63     1.69350    53.2 
11*        48.359     0.20 
12          7.767     1.36     1.48749    70.2 
13        116.902     0.50     1.85478    24.8 
14          5.526     0.14 
15*        14.527     0.94     1.62263    58.2 
16*       -24.339    (可変) 
17         11.067     1.16     1.49700    81.5 
18         29.785    (可変) 
19        768.274     1.30     1.95906    17.5 
20        -45.525     1.60 
21          ∞        0.80     1.51633    64.1 
22          ∞        0.60 
像面        ∞
【０１０４】
非球面データ
第3面
K = 0.00000e+000 A 4= 1.57582e-003 A 6=-2.87073e-005 A 8= 1.80616e-007
第4面
K = 0.00000e+000 A 4= 1.11655e-003 A 6= 3.69336e-005 
第5面
K = 0.00000e+000 A 4= 1.70633e-003 A 6=-1.27056e-005 
第6面
K = 0.00000e+000 A 4= 2.78879e-003 A 6=-5.17972e-005 
第10面
K = 0.00000e+000 A 4= 6.01185e-004 A 6= 6.37189e-005 A 8= 2.66873e-006
第11面
K = 0.00000e+000 A 4= 2.80516e-003 A 6= 7.75002e-005 
第15面
K = 0.00000e+000 A 4= 8.19026e-003 A 6= 3.65309e-004 A 8=-8.07997e-006
第16面
K = 0.00000e+000 A 4= 6.70862e-003 A 6= 5.99425e-004 A 8= 3.20142e-005
【０１０５】
各種データ
ズーム比 3.00 
広角     中間      望遠
焦点距離        3.34     6.59      10.00 
Fナンバー       2.88     3.80       5.04
半画角（度）   49.15    30.37      24.94 
像高            3.86     3.86       4.65 
レンズ全長     37.23    37.23      37.23 
BF              2.73     2.73       2.73 
d 2             2.80     4.76       2.00 
d 8             9.84     3.10       1.09 
d16             2.32     2.27       2.98 
d18             2.72     7.54      11.61 
【０１０６】
レンズ群データ
群      始面      焦点距離
1        1       -67.71
2        3       -6.89
3       10        8.58 
4       17       34.72
5       19       44.85
光学系Ｂ 第5レンズ群
G1R1         65.000
KB            4.028
νdB        17.47
ndB          1.333
【０１０７】
［実施例２］
[撮像状態Ａ]
前記実施例1の撮像状態Ａと共通である。
光学系Ａ  第４レンズ群
G1R1          65.000
KA            7.906（広角）  16.050（望遠）
【０１０８】
[撮像状態Ｂ]
単位 mm
面データ
面番号         r         d         nd        νd
1            65.000     2.50       1.51633    64.1 
2            29.220    (可変) 
3*          -22.841     0.95       1.76802    49.2 
4*           10.231     3.08 
5*          -12.859     0.60       1.69350    53.2 
6*           13.409     0.65 
7             8.078     1.81       1.84666    23.8 
8            25.882     (可変) 
9(絞り)      ∞         0.00 
10*           5.279     1.63       1.69350    53.2 
11*          48.359     0.20 
12            7.767     1.36       1.48749    70.2 
13          116.902     0.50       1.85478    24.8 
14            5.526     0.14 
15*          14.527     0.94       1.62263    58.2 
16*         -24.339     (可変) 
17           10.438     0.82       1.88300    40.8 
18            7.906     0.15 
19            7.609     0.80       1.51742    52.4 
20           37.912     (可変) 
21           80.000     2.00       1.51633    64.1 
22          -80.000     1.60 
23           ∞         0.80       1.51633    64.1 
24           ∞         0.60 
像面         ∞
【０１０９】
非球面データ
第3面
K = 0.00000e+000 A 4= 1.57582e-003 A 6=-2.87073e-005 A 8= 1.80616e-007
第4面
K = 0.00000e+000 A 4= 1.11655e-003 A 6= 3.69336e-005 
第5面
K = 0.00000e+000 A 4= 1.70633e-003 A 6=-1.27056e-005 
第6面
K = 0.00000e+000 A 4= 2.78879e-003 A 6=-5.17972e-005 
第10面
K = 0.00000e+000 A 4= 6.01185e-004 A 6= 6.37189e-005 A 8= 2.66873e-006
第11面
K = 0.00000e+000 A 4= 2.80516e-003 A 6= 7.75002e-005 
第15面
K = 0.00000e+000 A 4= 8.19026e-003 A 6= 3.65309e-004 A 8=-8.07997e-006
第16面
K = 0.00000e+000 A 4= 6.70862e-003 A 6= 5.99425e-004 A 8= 3.20142e-005
【０１１０】
各種データ
ズーム比     3.01
広角       中間        望遠
焦点距離        3.32        6.58       10.00 
Fナンバー       2.88        3.80        5.04
半画角（度）   49.31       30.38       24.94 
像高            3.86        3.86        4.65 
レンズ全長     37.23       37.23       37.23 
BF             2.73         2.73        2.73 
d 2            2.80         4.76        2.00 
d 8            9.84         3.10        1.09 
d16            1.93         2.29        3.23 
d20            1.79         6.21       10.04 
【０１１１】
レンズ群データ
群      始面      焦点距離
1        1        -67.71
2        3        -6.89
3       10         8.58 
4       17        33.46
5       21        77.80
光学系Ｂ 第4レンズ群
G1R1          65.000
KB            8.295（広角）  16.548（望遠）
νdB         52.43
ndB          1.333
【０１１２】
［参考例１］
[撮像状態Ａ]
前記実施例1の撮像状態Ａと共通である。
光学系Ａ  第5レンズ群
G1R1          65.000
KA            4.730 
【０１１３】
[撮像状態Ｂ]
単位 mm
面データ
面番号            r         d        nd        νd
1               65.000     2.50     1.51633     64.1 
2               29.220    (可変) 
3*             -22.841     0.95     1.76802     49.2 
4*              10.231     3.08 
5*             -12.859     0.60     1.69350     53.2 
6*              13.409     0.65 
7                8.078     1.81     1.84666     23.8 
8               25.882    (可変) 
9(絞り)           ∞       0.00 
10*              5.279     1.63     1.69350     53.2 
11*             48.359     0.20 
12               7.767     1.36     1.48749     70.2 
13             116.902     0.50     1.85478     24.8 
14               5.526     0.14 
15*             14.527     0.94     1.62263     58.2 
16*            -24.339     (可変) 
17              11.067     1.16     1.49700     81.5 
18              29.785     (可変) 
19             151.558     1.66     1.84666     23.8 
20             -30.360     1.60 
21               ∞        0.80     1.51633     64.1 
22               ∞        0.60 
像面             ∞
【０１１４】
非球面データ
第3面
K = 0.00000e+000 A 4= 1.57582e-003 A 6=-2.87073e-005 A 8= 1.80616e-007
第4面
K = 0.00000e+000 A 4= 1.11655e-003 A 6= 3.69336e-005 
第5面
K = 0.00000e+000 A 4= 1.70633e-003 A 6=-1.27056e-005 
第6面
K = 0.00000e+000 A 4= 2.78879e-003 A 6=-5.17972e-005 
第10面
K = 0.00000e+000 A 4= 6.01185e-004 A 6= 6.37189e-005 A 8= 2.66873e-006
第11面
K = 0.00000e+000 A 4= 2.80516e-003 A 6= 7.75002e-005 
第15面
K = 0.00000e+000 A 4= 8.19026e-003 A 6= 3.65309e-004 A 8=-8.07997e-006
第16面
K = 0.00000e+000 A 4= 6.70862e-003 A 6= 5.99425e-004 A 8= 3.20142e-005
【０１１５】
各種データ
ズーム比         3.00 
広角          中間          望遠
焦点距離          3.22          6.35          9.63 
Fナンバー         2.88          3.80          5.04
半画角（度）     50.20         31.31         25.76 
像高              3.86          3.86          4.65 
レンズ全長       37.23         37.23         37.23 
BF                2.73          2.73          2.73 
d 2               2.80          4.76          2.00 
d 8               9.84          3.10          1.09 
d16               2.32          2.27          2.98 
d18               2.35          7.18         11.24 
【０１１６】
レンズ群データ
群       始面        焦点距離
1         1          -67.71
2         3           -6.89
3        10            8.58 
4        17           34.72
5        19           30.00
光学系Ｂ 第5レンズ群
G1R1         65.000
KB            4.393
νdB         23.78
ndB          1.333
【０１１７】
［実施例３］
[撮像状態Ａ]
単位 mm
面データ
面番号           r         d        nd        νd
1             35.000      2.50     1.51633   64.1 
2             24.978     (可変) 
3*           -21.886      0.95     1.76802   49.2 
4*            10.080      3.17 
5*           -12.447      0.60     1.69350   53.2 
6*            13.289      0.67 
7              8.147      1.82     1.84666   23.8 
8             25.666      (可変) 
9(絞り)        ∞         0.00
10*            5.278      1.59     1.69350   53.2 
11*           49.013      0.20 
12             7.749      1.36     1.48749   70.2 
13           100.703      0.50     1.85478   24.8 
14             5.536      0.14 
15*           14.518      0.93     1.62263   58.2 
16*          -24.300      (可変) 
17            11.067       1.13    1.49700   81.5 
18            30.272       (可変)
19            80.000       2.00    1.51633   64.1 
20           -80.000       1.60 
21            ∞           0.80    1.51633   64.1 
22            ∞           0.60 
像面          ∞
【０１１８】
非球面データ
第3面
K = 0.00000e+000 A 4= 1.59149e-003 A 6=-2.98873e-005 A 8= 1.90280e-007
第4面
K = 0.00000e+000 A 4= 1.13550e-003 A 6= 3.69324e-005 
第5面
K = 0.00000e+000 A 4= 1.66268e-003 A 6=-7.65304e-006 
第6面
K = 0.00000e+000 A 4= 2.74838e-003 A 6=-4.87623e-005 
第10面
K = 0.00000e+000 A 4= 5.82371e-004 A 6= 6.30004e-005 A 8= 2.79556e-006
第11面
K = 0.00000e+000 A 4= 2.72342e-003 A 6= 7.76875e-005 
第15面
K = 0.00000e+000 A 4= 8.03486e-003 A 6= 3.77268e-004 A 8=-5.37347e-006
第16面
K = 0.00000e+000 A 4= 6.68384e-003 A 6= 5.90648e-004 A 8= 3.79253e-005
【０１１９】
各種データ
ズーム比         2.94
広角            中間          望遠
焦点距離         3.55            7.13         10.43 
Fナンバー        2.88            3.80          5.04
半画角（度）    47.39           28.43         24.03 
像高             3.86            3.86          4.65 
レンズ全長      37.23           37.23         37.23 
BF              2.73             2.73          2.73 
d 2             2.80             4.83          2.00 
d 8             9.81             3.02          1.09 
d16             2.32             2.43          3.73 
d18             1.99             6.64         10.10 
【０１２０】
レンズ群データ
群    始面    焦点距離
1      1      -184.63
2      3        -6.54
3     10         8.53 
4     17        34.42
5     19        77.80
光学系Ａ 第5レンズ群
G1R1         35.000
KA           4.730
【０１２１】
[撮像状態Ｂ]
単位 mm
面データ
面番号      r       d        nd        νd
1         35.000   2.50     1.51633    64.1 
2         24.978  (可変) 
3*       -21.886   0.95     1.76802    49.2 
4*        10.080   3.17 
5*       -12.447   0.60     1.69350    53.2 
6*        13.289   0.67 
7          8.147   1.82     1.84666    23.8 
8         25.666  (可変) 
9(絞り)     ∞     0.00 
10*        5.278   1.59     1.69350    53.2 
11*       49.013   0.20 
12         7.749   1.36     1.48749    70.2 
13       100.703   0.50     1.85478    24.8 
14         5.536   0.14 
15*       14.518   0.93     1.62263    58.2 
16*      -24.300  (可変) 
17        11.067   1.13     1.49700    81.5 
18        30.272  (可変) 
19       -11.913   0.50     1.69680    55.5 
20       -13.274   0.20 
21       430.088   0.75     1.84666    23.8 
22       -27.455   2.05 
23         ∞      0.80     1.51633    64.1 
24         ∞      0.60 
像面       ∞
【０１２２】
非球面データ
第3面
K = 0.00000e+000 A 4= 1.59149e-003 A 6=-2.98873e-005 A 8= 1.90280e-007
第4面
K = 0.00000e+000 A 4= 1.13550e-003 A 6= 3.69324e-005 
第5面
K = 0.00000e+000 A 4= 1.66268e-003 A 6=-7.65304e-006 
第6面
K = 0.00000e+000 A 4= 2.74838e-003 A 6=-4.87623e-005 
第10面
K = 0.00000e+000 A 4= 5.82371e-004 A 6= 6.30004e-005 A 8= 2.79556e-006
第11面
K = 0.00000e+000 A 4= 2.72342e-003 A 6= 7.76875e-005 
第15面
K = 0.00000e+000 A 4= 8.03486e-003 A 6= 3.77268e-004 A 8=-5.37347e-006
第16面
K = 0.00000e+000 A 4= 6.68384e-003 A 6= 5.90648e-004 A 8= 3.79253e-005
【０１２３】
各種データ
ズーム比      3.05
広角        中間        望遠
焦点距離       3.18         6.38       9.70 
Fナンバー      2.88         3.80       5.04
半画角（度）  50.50        31.18      25.61 
像高           3.86         3.86       4.65 
レンズ全長    37.23        37.23      37.23 
BF             3.18         3.18       3.18 
d 2            2.80         4.83       2.00 
d 8            9.81         3.02       1.09 
d16            2.32         1.81       2.39 
d18            2.09         7.36      11.54 
【０１２４】
レンズ群データ
群    始面      焦点距離
1      1       -65.55
2      3        -6.54
3     10         8.53 
4     17        34.42
5     19        35.28
光学系Ｂ 第5レンズ群
G1R1     35.000
K         4.630
νdB     23.78
ndB       1.333
【０１２５】
［参考例２］
[撮像状態Ａ]
単位 mm
面データ
面番号       r        d       nd       νd
1          35.000    2.50    1.51633   64.1 
2          19.121    (可変) 
3*        -80.075    0.95    1.76802   49.2 
4*         10.096    3.77 
5*        -11.086    0.60    1.69350   53.2 
6*         12.194    0.58 
7           8.105    1.78    1.84666   23.8 
8          24.801    (可変) 
9(絞り)      ∞       0.00
10*         5.340    1.67    1.69350   53.2 
11*        44.147    0.24 
12          7.908    1.11    1.48749   70.2 
13         54.360    0.50    1.85478   24.8 
14          5.609    0.14 
15*        14.596    0.96    1.62263   58.2 
16*       -24.014   (可変) 
17         10.711    0.96    1.49700   81.5 
18         47.623   (可変) 
19          ∞       0.80    1.51633   64.1 
20          ∞       0.60 
像面        ∞
【０１２６】
非球面データ
第3面
K = 0.00000e+000 A 4= 1.67512e-003 A 6=-3.20365e-005 A 8= 1.96797e-007
第4面
K = 0.00000e+000 A 4= 1.80123e-003 A 6= 2.25555e-005 
第5面
K = 0.00000e+000 A 4= 1.78310e-003 A 6=-2.08150e-005 
第6面
K = 0.00000e+000 A 4= 2.44283e-003 A 6=-4.27855e-005 
第10面
K = 0.00000e+000 A 4= 5.65678e-004 A 6= 5.46489e-005 A 8= 3.98646e-006
第11面
K = 0.00000e+000 A 4= 3.04733e-003 A 6= 8.11958e-005 
第15面
K = 0.00000e+000 A 4= 8.21856e-003 A 6= 4.33546e-004 A 8=-1.15872e-005
第16面
K = 0.00000e+000 A 4= 6.31391e-003 A 6= 5.84302e-004 A 8= 3.69584e-005
各種データ
ズーム比        2.94
広角      中間       望遠
焦点距離        3.55       7.05     10.43 
Fナンバー       2.88       3.80      5.04
半画角（度）   47.39      28.71     24.03 
像高            3.86       3.86      4.65 
レンズ全長     37.23      37.23     37.23 
BF              6.53      10.67     14.01 
d 2             2.80       4.87      2.00 
d 8            10.00       3.08      1.10 
d16             2.13       2.83      4.34 
d18             5.40       9.55     12.88 
【０１２７】
レンズ群データ
群        始面      焦点距離
1          1       -86.25
2          3       -6.97
3         10        8.72 
4         17       27.57
光学系Ａ 空気レンズ
G1R1       35.000
【０１２８】
[撮像状態Ｂ]
単位 mm
面データ
面番号        r        d        nd        νd
1          35.000     2.50    1.51633     64.1 
2          19.121    (可変) 
3*        -80.075     0.95    1.76802     49.2 
4*         10.096     3.77 
5*        -11.086     0.60    1.69350     53.2 
6*         12.194     0.58 
7           8.105     1.78    1.84666     23.8 
8          24.801    (可変) 
9(絞り)      ∞       0.00
10*         5.340     1.67    1.69350     53.2 
11*        44.147     0.24 
12          7.908     1.11    1.48749     70.2 
13         54.360     0.50    1.85478     24.8 
14          5.609     0.14 
15*        14.596     0.96    1.62263     58.2 
16*       -24.014    (可変) 
17         10.711     0.96    1.49700     81.5 
18         47.623    (可変) 
19        750.551     0.93    2.10205     16.8 
20*      -140.344     2.83 
21         ∞        0.80     1.51633     64.1 
22         ∞        0.60 
像面       ∞
【０１２９】
非球面データ
第3面
K = 0.00000e+000 A 4= 1.67512e-003 A 6=-3.20365e-005 A 8= 1.96797e-007
第4面
K = 0.00000e+000 A 4= 1.80123e-003 A 6= 2.25555e-005 
第5面
K = 0.00000e+000 A 4= 1.78310e-003 A 6=-2.08150e-005 
第6面
K = 0.00000e+000 A 4= 2.44283e-003 A 6=-4.27855e-005 
第10面
K = 0.00000e+000 A 4= 5.65678e-004 A 6= 5.46489e-005 A 8= 3.98646e-006
第11面
K = 0.00000e+000 A 4= 3.04733e-003 A 6= 8.11958e-005 
第15面
K = 0.00000e+000 A 4= 8.21856e-003 A 6= 4.33546e-004 A 8=-1.15872e-005
第16面
K = 0.00000e+000 A 4= 6.31391e-003 A 6= 5.84302e-004 A 8= 3.69584e-005
第20面
K = 0.00000e+000 A 4=-5.15007e-005 A 6= 4.65183e-006 A 8=-1.71159e-007
【０１３０】
各種データ
ズーム比          3.09
広角      中間      望遠
焦点距離       3.07      6.14      9.47 
Fナンバー      2.88      3.80      5.04
半画角（度）  51.54     32.15     26.15 
像高           3.86      3.86      4.65 
レンズ全長    37.23     37.23     37.23 
BF             3.96      3.96      3.96 
d 2            2.80      4.87      2.00 
d 8           10.00      3.08      1.10 
d16            1.22      1.71      2.73 
d18            2.56      6.91     10.74 
【０１３１】
レンズ群データ
群        始面        焦点距離
1          1         -46.44
2          3          -6.97
3         10           8.72 
4         17          27.57
5         19         107.35
光学系Ｂ 第5レンズ群
G1R1          35.000
KC            4.887
νdC         16.77
ndC          1.333
【０１３２】
［実施例４］
[撮像状態Ａ]
単位 mm
面データ
面番号         r        d       nd        νd
1           120.000    3.00    1.51633    64.1 
2            58.963   (可変) 
3            22.042    0.85    1.95906    17.5 
4            16.960    5.95    1.88300    40.8 
5            60.233   (可変) 
6            41.127    0.67    1.88300    40.8 
7             6.004    4.56 
8*          -15.101    0.40    1.76802    49.2 
9           -61.048    0.10 
10           19.791    1.68    1.95906    17.5 
11          100.369   (可変) 
12(絞り)      ∞      (可変) 
13*           8.290    2.34    1.76802    49.2 
14*         -27.533    0.10 
15            7.493    1.52    1.77250    49.6 
16          -33.393    0.45    2.00330    28.3 
17            5.602   (可変) 
18*          60.332    2.34    1.58313    59.4 
19          -11.902    0.00 
20          -11.902    0.40    2.00069    25.5 
21          -14.924   (可変) 
22          200.000    2.00    1.51633    64.1 
23         -200.000    3.00 
24           ∞       1.00     1.51633    64.1 
25           ∞       0.90 
像面         ∞
【０１３３】
非球面データ
第8面
K = 0.00000e+000 A 4= 1.10165e-004 A 6=-4.59689e-006 A 8= 1.58044e-007 A10=-2.46579e-009 
第13面
K = 0.00000e+000 A 4= 1.29868e-004 A 6= 3.17162e-006 A 8= 1.87472e-006
第14面
K = 0.00000e+000 A 4= 5.50489e-004 A 6= 4.12641e-008 A 8= 3.19490e-006 A10=
2.34722e-011 
第18面
K = 0.00000e+000 A 4=-2.55396e-004 A 6= 2.05231e-005 A 8=-1.26680e-006 A10=
3.23463e-008 
【０１３４】
各種データ
ズーム比     2.05
広角       中間        望遠
焦点距離        7.33      10.72      15.00 
Fナンバー       2.88       3.65       4.03
半画角（度）   41.43      36.35      27.74 
像高            6.47       7.89       7.89 
レンズ全長     51.83      51.83      51.83 
BF              4.56       4.56       4.56 
d 2             5.00       5.33       3.51 
d 5             0.78       1.20       3.77 
d11             6.95       3.98       1.02 
d12             2.60       0.99       1.02 
d17             2.57       4.53       3.78 
d21             3.00       4.86       7.79 
レンズ群データ
群       始面      焦点距離
1         1       -228.33
2         3         37.68
3         6         -8.25
4        13         11.57 
5        18         24.09
6        22        194.00
光学系Ａ 第6レンズ群
G1R1        120.000
KA            6.630
【０１３５】
[撮像状態Ｂ]
単位 mm
面データ
面番号        r        d        nd       νd
1          120.000    3.00    1.51633   64.1 
2           58.963   (可変) 
3           22.042    0.85    1.95906   17.5 
4           16.960    5.95    1.88300   40.8 
5           60.233   (可変) 
6           41.127    0.67    1.88300   40.8 
7            6.004    4.56 
8*         -15.101    0.40    1.76802   49.2 
9          -61.048    0.10 
10          19.791    1.68    1.95906   17.5 
11         100.369   (可変) 
12(絞り)      ∞     (可変) 
13*          8.290    2.34    1.76802   49.2 
14*        -27.533    0.10 
15           7.493    1.52    1.77250   49.6 
16         -33.393    0.45    2.00330   28.3 
17           5.602    (可変) 
18*         60.332    2.34    1.58313   59.4 
19         -11.902    0.00 
20         -11.902    0.40    2.00069   25.5 
21         -14.924    (可変) 
22          69.141    1.32    2.10205   16.8 
23*        117.239    3.68 
24           ∞       1.00    1.51633   64.1 
25           ∞       0.90 
像面         ∞
【０１３６】
非球面データ
第8面
K = 0.00000e+000 A 4= 1.10165e-004 A 6=-4.59689e-006 A 8= 1.58044e-007 A10=-2.46579e-009 
第13面
K = 0.00000e+000 A 4= 1.29868e-004 A 6= 3.17162e-006 A 8= 1.87472e-006
第14面
K = 0.00000e+000 A 4= 5.50489e-004 A 6= 4.12641e-008 A 8= 3.19490e-006 A10=
2.34722e-011 
第18面
K = 0.00000e+000 A 4=-2.55396e-004 A 6= 2.05231e-005 A 8=-1.26680e-006 A10=
3.23463e-008 
第23面
K = 0.00000e+000 A 4=-4.94091e-005 A 6= 2.59160e-007 
【０１３７】
各種データ
ズーム比       2.05
広角      中間       望遠
焦点距離       6.86      10.04     14.08 
Fナンバー      2.86       3.61      4.02
半画角（度）  43.31      38.15     29.26 
像高           6.47       7.89      7.89 
レンズ全長    51.83      51.83     51.83 
BF             5.24       5.24      5.24 
d 2            5.00       5.33      3.51 
d 5            0.78       1.20      3.77 
d11            6.95       3.98      1.02 
d12            2.60       0.99      1.02 
d17            2.57       4.30      3.21 
d21            3.00       5.09      8.36 
【０１３８】
レンズ群データ
群       始面      焦点距離
1         1       -138.83
2         3         37.68
3         6         -8.25
4        13         11.57 
5        18         24.09
6        22        150.76
光学系Ｂ 第6レンズ群
G1R1          120.000
KB              6.630
νdB           16.77
ndB             1.333
【０１３９】
［実施例５］
[撮像状態Ａ]
単位 mm
面データ
面番号        r         d        nd        νd
1           35.000    2.50     1.51633    64.1 
2           16.611    2.45 
3*         -55.817    0.95     1.76802    49.2 
4*           8.388    4.01 
5*         -10.616    0.60     1.69350    53.2 
6*           8.503    0.71 
7            6.849    1.55     1.84666    23.8 
8           18.073    6.46 
9(絞り)       ∞      0.00 
10*          5.312    2.28     1.69350    53.2 
11*         57.317    0.24 
12           7.595    1.90     1.48749    70.2 
13         -32.027    0.50     1.85478    24.8 
14           5.650    0.42 
15*         12.133    0.93     1.62263    58.2 
16*        -18.168    1.30 
17          10.356    1.41     1.49700    81.5 
18         -79.936    1.80 
19          33.775    2.00     1.48749    70.2 
20         -68.646    1.60 
21           ∞       0.80     1.51633    64.1 
22           ∞       0.60
像面         ∞
【０１４０】
非球面データ
第3面
K = 0.00000e+000 A 4= 1.96913e-003 A 6=-3.43582e-005 A 8= 2.16700e-007
第4面
K = 0.00000e+000 A 4= 2.13256e-003 A 6= 5.31361e-005 
第5面
K = 0.00000e+000 A 4= 1.79510e-003 A 6=-5.09954e-005
第6面
K = 0.00000e+000 A 4= 2.43900e-003 A 6=-7.68185e-005 
第10面
K = 0.00000e+000 A 4= 6.44904e-004 A 6=-8.62572e-006 A 8= 2.30619e-006
第11面
K = 0.00000e+000 A 4= 2.66628e-003 A 6= 2.02907e-005 
第15面
K = 0.00000e+000 A 4= 6.14923e-003 A 6= 1.03731e-004 A 8= 1.87482e-005
第16面
K = 0.00000e+000 A 4= 5.75731e-003 A 6= 1.01471e-004 A 8= 6.23622e-005
各種データ
焦点距離        3.05 
Fナンバー      1.64
半画角（度）   51.67 
像高            3.86 
レンズ全長     34.73 
BF              2.73 
【０１４１】
レンズ部データ
レンズ部        始面        焦点距離
1                1         -64.20 
2                3         -5.17 
3               10          8.01
4               17         18.54 
5               19         46.74 
光学系Ａ 第５レンズ部
G1R1          35.000
KA            4.730
【０１４２】
[撮像状態Ｂ]
単位 mm
面データ
面番号         r        d        nd         νd
1           35.000    2.50      1.51633     64.1 
2           16.611    2.45 
3*         -55.817    0.95      1.76802     49.2 
4*           8.388    4.01 
5*         -10.616    0.60      1.69350     53.2 
6*           8.503    0.71 
7            6.849    1.55      1.84666     23.8 
8           18.073    6.46
9(絞り)       ∞      0.00 
10*          5.312    2.28      1.69350     53.2 
11*         57.317    0.24 
12           7.595    1.90      1.48749     70.2 
13         -32.027    0.50      1.85478     24.8 
14           5.650    0.42 
15*         12.133    0.93      1.62263     58.2 
16*        -18.168    1.30 
17          10.356    1.41      1.49700     81.5 
18         -79.936    3.34 
19          46.977    1.12      1.84666     23.8 
20         -30.644    0.93 
21           ∞       0.80      1.51633     64.1 
22           ∞       0.60
像面         ∞
【０１４３】
非球面データ
第3面
K = 0.00000e+000 A 4= 1.96913e-003 A 6=-3.43582e-005 A 8= 2.16700e-007
第4面
K = 0.00000e+000 A 4= 2.13256e-003 A 6= 5.31361e-005 
第5面
K = 0.00000e+000 A 4= 1.79510e-003 A 6=-5.09954e-005 
第6面
K = 0.00000e+000 A 4= 2.43900e-003 A 6=-7.68185e-005 
第10面
K = 0.00000e+000 A 4= 6.44904e-004 A 6=-8.62572e-006 A 8= 2.30619e-006
第11面
K = 0.00000e+000 A 4= 2.66628e-003 A 6= 2.02907e-005 
第15面
K = 0.00000e+000 A 4= 6.14923e-003 A 6= 1.03731e-004 A 8= 1.87482e-005
第16面
K = 0.00000e+000 A 4= 5.75731e-003 A 6= 1.01471e-004 A 8= 6.23622e-005
【０１４４】
各種データ
焦点距離       2.75 
Fナンバー      1.64
半画角（度）  54.51 
像高           3.86 
レンズ全長    34.73 
BF             2.06 
レンズ部データ
レンズ部       始面      焦点距離
1               1       -39.09
2               3        -5.17
3              10         8.01 
4              17        18.54
5              19        22.05
光学系Ｂ 第５レンズ部
G1R1         35.000
KB            3.186
νdB         23.78
ndB           1.333
【０１４５】
【表１】
0006618268.tif 000003
【符号の説明】
【０１４６】
１  筐体      ２  切り替え手段      ３  挿脱手段      ＰＧ  保護レンズ
ＯＬ  撮像光学系      ＳＰ  開口絞り      Ａ  光学系Ａ
Ｂ  光学系Ｂ      Ｃ  光学系Ｃ
【図１】
0006618268.tif 000004
【図２】
0006618268.tif 000005
【図３】
0006618268.tif 000006
【図４】
0006618268.tif 000007
【図５】
0006618268.tif 000008
【図６】
0006618268.tif 000009
【図７】
0006618268.tif 000010
【図８】
0006618268.tif 000011
【図９】
0006618268.tif 000012
【図１０】
0006618268.tif 000013
【図１１】
0006618268.tif 000014
【図１２】
0006618268.tif 000015
【図１３】
0006618268.tif 000016
【図１４】
0006618268.tif 000017
【図１５】
0006618268.tif 000018
【図１６】
0006618268.tif 000019
【図１７】
0006618268.tif 000020
【図１８】
0006618268.tif 000021
【図１９】
0006618268.tif 000022
【図２０】
0006618268.tif 000023
【図２１】
0006618268.tif 000024
【図２２】
0006618268.tif 000025
【図２３】
0006618268.tif 000026
【図２４】
0006618268.tif 000027
【図２５】
0006618268.tif 000028
【図２６】
0006618268.tif 000029
【図２７】
0006618268.tif 000030
【図２８】
0006618268.tif 000031
【図２９】
0006618268.tif 000032